(57)【特許請求の範囲】
【請求項１】
前後一対のピン圧入孔を有する内プレートと、該内プレートのピン圧入孔に圧入嵌合して左右に突出する連結ピンと、該連結ピンの外周面に内プレートの左右両側からそれぞれ遊嵌する左右一対のブシュと、該ブシュの一端を前後一対のブシュ圧入孔にそれぞれ圧入嵌合するとともに前記連結ピンを介して内プレートをチェーン長手方向に相互に連結する左右一対の外プレートと、前記ブシュの外周面に遊嵌するローラと、前記外プレートの前後一対のブシュ圧入孔からチェーン幅方向の外方に突出する前後一対のブシュの他端にそれぞれ着脱自在に遊嵌して支持する前後一対の盲孔を有する左右一対のブラケット部材と、該左右一対のブラケット部材を相互に連結して搬送物を捕捉搬送する搬送手段とで構成されている搬送用チェーンであって、
前記左右一対のブラケット部材と搬送手段とが、相互の連結のみによってチェーン全体を連結していることを特徴とする搬送用チェーン。
【請求項２】
前記左右一対の外プレートが、前記内プレートに近接して対向配置していることを特徴とする請求項１記載の搬送用チェーン。
【請求項３】
前記左右一対のブラケット部材と搬送手段とが、ボルトとナットとからなる締結手段によって着脱自在に連結されていることを特徴とする請求項１または請求項２記載の搬送用チェーン。
【請求項４】
前記搬送手段が、搬送物を捕捉するバケットで構成されていることを特徴とする請求項１乃至請求項３のいずれか記載の搬送用チェーン。
【発明の詳細な説明】
【技術分野】
【０００１】
本発明は、搬送物を捕捉して搬送する搬送用チェーンに関するものであって、特に、左右一対のブラケット部材が搬送手段によって相互に連結されている搬送用チェーンに関する。
【背景技術】
【０００２】
搬送用チェーンは、使用環境に応じて、強度や耐摩耗性が要求されている。
一方で、摩耗が進行した場合には、搬送用チェーンを分解して摩耗箇所を速やかに交換できることが望ましい。
【０００３】
従来、対向して設けられ、両端にピン孔を有する一対の外プレートと、外プレートの内側に配置されて、両端にブシュ孔を有する一対の内プレートと、内プレートの内側に設けられて内部に貫通孔を有するブシュと、外プレートのピン孔、内プレートのブシュ孔及びブシュの貫通孔を貫通して外プレート及び内プレートを回転可能に連結するピンとを備える搬送用チェーンが知られている（例えば、特許文献１参照）。
そして、このような搬送用チェーンのピンは、ピンの脱落を防止するための抜け止め挿入孔を有しており、抜け止め部材が、抜け止め挿入孔に挿入されている。
また、従来の搬送用チェーンにおいては、搬送物を搬送するバケット等の搬送手段を外プレートのアタッチメント取付部にボルト等で接合するものが知られている。
【先行技術文献】
【特許文献】
【０００４】
【特許文献１】特開２００９−０８５３９２号公報（第７欄）
【発明の開示】
【発明が解決しようとする課題】
【０００５】
前述したような従来の分解可能な搬送用チェーンでは、チェーン組立時のピンの脱落を防止するための抜け止め部材の挿入とアタッチメント取付時のチェーンとアタッチメントとの接合のためのボルト等の装着は別個に行う必要があり、また、左右一対の外プレートのアタッチメント取付部にアタッチメントを接続するアタッチメント式搬送用チェーンでは、スプロケットとの噛み合いによる衝撃荷重に起因してローラに損傷が生じた場合には、アタッチメントを取り外した上でチェーンを分解してローラを交換する必要があり、チェーンの組立、分解に多大な時間を要するという問題があった。
【０００６】
また、チェーンの屈曲動作を確保するためにピンが外プレートに遊嵌されており、ピンと外プレートのプレート孔の面圧が高くなるため摩耗進行が早く、また、ピンとプレート孔との間に間隙が存在するためチェーンの疲労強度が下がるという問題があった。
【０００７】
そして、ローラを介してスプロケットに噛み合う搬送用チェーンにおいては、１つのスプロケットを用いてチェーンを駆動させているため、搬送用チェーンに捩れが発生して、搬送物の捕捉搬送が不安定になるという問題があった。
【０００８】
そこで、本発明は、従来の問題を解決するものであって、すなわち、本発明の目的は、搬送手段とブラケット部材との連結のみを組立、分解することで搬送用チェーンの確実且つ簡単な組立て、分解を容易に達成し、チェーンの摩耗進行を防止してチェーンの疲労強度を上げるとともに、搬送用チェーンの捩れを防止して搬送物を安定して捕捉搬送する搬送用チェーンを提供することである。
【課題を解決するための手段】
【０００９】
請求項１に係る本発明は、前後一対のピン圧入孔を有する内プレートと、該内プレートのピン圧入孔に圧入嵌合して左右に突出する連結ピンと、該連結ピンの外周面に内プレートの左右両側からそれぞれ遊嵌する左右一対のブシュと、該ブシュの一端を前後一対のブシュ圧入孔にそれぞれ圧入嵌合するとともに前記連結ピンを介して内プレートをチェーン長手方向に相互に連結する左右一対の外プレートと、前記ブシュの外周面に遊嵌するローラと、前記外プレートの前後一対のブシュ圧入孔からチェーン幅方向の外方に突出する前後一対のブシュの他端にそれぞれ着脱自在に遊嵌して支持する前後一対の盲孔を有する左右一対のブラケット部材と、該左右一対のブラケット部材を相互に連結して搬送物を捕捉搬送する搬送手段とで構成されている搬送用チェーンであって、前記左右一対のブラケット部材と搬送手段とが、相互の連結のみによってチェーン全体を連結していることにより、前述した課題を解決したものである。
【００１０】
請求項２に係る本発明は、請求項１記載の構成に加えて、左右一対の外プレートが、内プレートに近接して対向配置していることにより、ローラが外プレートとブラケット部材との間に配置されることにより、前述した課題をさらに解決したものである。
【００１１】
請求項３に係る本発明は、請求項１または請求項２記載の構成に加えて、左右一対のブラケット部材と搬送手段とが、ボルトとナットとからなる締結手段によって着脱自在に連結されていることにより、前述した課題をさらに解決したものである。
【００１２】
請求項４に係る本発明は、請求項１乃至請求項３のいずれかに記載の構成に加えて、搬送手段が、搬送物を捕捉して搬送するバケットで構成されていることにより、前述した課題をさらに解決したものである。
【発明の効果】
【００１３】
そこで、本発明は、前後一対のピン圧入孔を有する内プレートと、この内プレートのピン圧入孔に圧入嵌合して左右に突出する連結ピンと、これらの連結ピンの外周面に内プレートの左右両側からそれぞれ遊嵌する左右一対のブシュと、これらのブシュの一端を前後一対のブシュ圧入孔にそれぞれ圧入嵌合するとともに連結ピンを介して内プレートをチェーン長手方向に相互に連結する左右一対の外プレートと、ブシュの外周面に遊嵌するローラと、外プレートの前後一対のブシュ圧入孔からチェーン幅方向の外方に突出する前後一対のブシュの他端にそれぞれ着脱自在に遊嵌して支持する前後一対の盲孔を有する左右一対のブラケット部材と、これらの左右一対のブラケット部材を相互に連結して搬送物を捕捉搬送する搬送手段とで構成されていることにより、チェーンの周回走行によって搬送手段により搬送物を捕捉して搬送することができるばかりでなく、以下のような特有の効果を奏することができる。
【００１４】
請求項１に係る本発明の搬送用チェーンによれば、外プレートの前後一対のブシュ圧入孔からチェーン幅方向の外方に突出する前後一対のブシュの他端にそれぞれ着脱自在に遊嵌して支持する前後一対の盲孔を有する左右一対のブラケット部材と、これらの左右一対のブラケット部材を相互に連結して搬送物を捕捉搬送する搬送手段とで構成され、左右一対のブラケット部材と搬送手段とが、相互の連結のみによってチェーン全体を連結していることにより、搬送手段とブラケット部材との連結のみで容易に搬送用チェーンを組立、分解することが可能になるため、搬送用チェーンの確実且つ簡単な組立て、分解ができるとともに、スプロケットとの噛み合いによる衝撃荷重に起因してローラに損傷が生じた場合であっても、搬送用チェーン全体を連結している搬送手段とブラケット部材との連結のみを解除してブラケット部材を取り外すことでローラを容易に交換することができる。
【００１５】
また、前後一対のピン圧入孔を有する内プレートと、内プレートのピン圧入孔に圧入嵌合される連結ピンと、連結ピンの外周面に内プレートの左右両側からそれぞれ遊嵌する左右一対のブシュと、ブシュの一端を前後一対のブシュ圧入孔にそれぞれ圧入嵌合するとともに連結ピンを介して内プレートをチェーン長手方向に相互に連結する左右一対の外プレートとで構成されていることにより、連結ピンと内プレートとの間およびブシュと外プレートとの間に間隙がないため、搬送用チェーンの疲労強度を向上させるとともに、圧入部分における摩耗損傷の発生を防止することができる。
【００１６】
さらに、連結ピンの外周面に内プレートの左右両側からそれぞれ遊嵌する左右一対のブシュと、ブシュの一端を前後一対のブシュ圧入孔にそれぞれ圧入嵌合するとともに連結ピンを介して内プレートをチェーン長手方向に相互に連結する左右一対の外プレートと、ブシュの外周面に遊嵌するローラとで構成されていることにより、２個のスプロケットが左右一対のローラにそれぞれ当接して搬送用チェーンを駆動させるため、搬送用チェーンの捩れを防止するとともに、安定して搬送物を捕捉して搬送することができる。
【００１７】
請求項２に係る本発明の搬送用チェーンによれば、請求項１記載の搬送用チェーンが奏する効果に加えて、左右一対の外プレートが、内プレートに近接して対向配置していることにより、ローラが外プレートとブラケット部材との間に配置されるため、搬送手段とブラケット部材との連結を解除し、ブラケット部材を取り外すことで、摩耗損傷したローラの交換を容易に達成することができる。
【００１８】
請求項３に係る本発明の搬送用チェーンによれば、請求項１または請求項２記載の搬送用チェーンが奏する効果に加えて、左右一対のブラケット部材と搬送手段とが、ボルトとナットとからなる締結手段によって着脱自在に連結されていることにより、搬送手段とブラケット部材とを連結するために必要な力をボルトとナットとの締め付け力により得られるため、簡単かつ確実に搬送用チェーンを組立、分解することができる。
【００１９】
請求項４に係る本発明の搬送用チェーンによれば、請求項１乃至請求項３のいずれかに記載の搬送用チェーンが奏する効果に加えて、搬送手段が、搬送物を搬送するバケットで構成されていることにより、バケットで搬送物を掻き取るため、肥料、試料、穀物等のばらものであっても効率的に捕捉搬送することができる。
【図面の簡単な説明】
【００２０】
【図１】搬送用チェーンを適用したバケットエレベータの概要図。
【図２】本発明の一実施例である搬送用チェーンの概要図。
【図３】本発明の一実施例である搬送手段を除く搬送用チェーンの概要図。
【図４】図３に示す搬送用チェーンの組み立て分解図。
【図５】本発明の一実施例である搬送用チェーンの使用態様図。
【図６】本発明の一実施例である搬送手段を除く搬送用チェーンの平面図。
【図７】図５に示す搬送用チェーンのＡ−Ａ断面図。
【発明を実施するための形態】
【００２１】
本発明は、前後一対のピン圧入孔を有する内プレートと、この内プレートのピン圧入孔に圧入嵌合して左右に突出する連結ピンと、これらの連結ピンの外周面に内プレートの左右両側からそれぞれ遊嵌する左右一対のブシュと、これらのブシュの一端を前後一対のブシュ圧入孔にそれぞれ圧入嵌合するとともに連結ピンを介して内プレートをチェーン長手方向に相互に連結する左右一対の外プレートと、ブシュの外周面に遊嵌するローラと、外プレートの前後一対のブシュ圧入孔からチェーン幅方向の外方に突出する前後一対のブシュの他端にそれぞれ着脱自在に遊嵌して支持する前後一対の盲孔を有する左右一対のブラケット部材と、これらの左右一対のブラケット部材を相互に連結して搬送物を捕捉搬送する搬送手段とで構成され、左右一対のブラケット部材と搬送手段とが、相互の連結のみによってチェーン全体を連結し、搬送手段とブラケット部材との連結のみを組立、分解することで搬送用チェーンの確実且つ簡単な組立て、分解を容易に達成し、チェーンの摩耗進行を防止してチェーンの疲労強度を上げるとともに、搬送用チェーンの捩れを防止して搬送物を安定して捕捉搬送するものであれば、その具体的な実施の形態は、如何なるものであっても何ら構わない。
【００２２】
また、本発明の搬送用チェーンに組み込まれる搬送手段は、左右一対のブラケットを相互に連結するとともに、搬送物を捕捉して搬送するものであれば、バケット、スラット、パンまたはエプロンなどのいずれであっても構わない。
【実施例】
【００２３】
以下、本発明の一実施例である搬送用チェーン１００を図１乃至図７に基づいて説明する。
ここで、図１は、本発明の搬送用チェーンを適用したバケットエレベータの概要図であり、図２は、本発明の一実施例である搬送用チェーンの概要図であり、図３は、本発明の一実施例である、搬送手段を除く搬送用チェーンの概要図であり、図４は、図３に示す搬送用チェーンの組み立て分解図であり、図５は、本発明の一実施例である搬送用チェーンの使用態様図であり、図６は、本発明の一実施例である搬送手段を除く搬送用チェーンの平面図であり、図７は、図５に示す搬送用チェーンのＡ−Ａ断面図である。
【００２４】
まず、本発明の実施例である搬送用チェーン１００は、肥料、試料、穀物等のばらものを捕捉搬送するためのコンベヤチェーンに用いられるものであって、図２乃至図７に示すように、前後一対のピン圧入孔１１２、１１２を有する一枚の内プレート１１０と、この一枚の内プレート１１０の前後一対のピン圧入孔１１２、１１２にそれぞれ圧入嵌合される前後一対の連結ピン１２０、１２０と、これらの連結ピン１２０、１２０の外周面に内プレート１１０の左右両側からそれぞれ遊嵌する左右一対のブシュ１３０，１３０と、これらのブシュ１３０、１３０の一端を前後一対のブシュ圧入孔１４２にそれぞれ圧入嵌合するとともに連結ピン１３０、１３０を介して内プレート１１０をチェーン長手方向に相互に連結する左右一対の外プレート１４０、１４０とを備えている。
また、搬送用チェーン１００は、ブシュ１３０の外周面に遊嵌するローラ１５０と、ブシュ１３０の他端に着脱自在に遊嵌して支持する盲孔１６２を有する左右一対のブラケット部材１６０，１６０と、左右一対のブラケット部材１６０、１６０を相互に連結する搬送手段１７０とを備えている。
【００２５】
搬送用チェーン１００は、ばらもの等の搬送物Ｗを捕捉して搬送するバケットからなる搬送手段１７０を備えており、この搬送手段１７０を介してブラケット部材１６０、１６０が相互に連結されている。
ブラケット部材１６０と搬送手段１７０とは、搬送手段１７０に設けられた孔とブラケット部材１６０のボルト挿入孔１６４とに挿入するボルト１８１と、このボルト１８１に係合するナット１８２とをブラケット部材１６０と搬送手段１７０とを挟持して締め付けることで結合されている。
【００２６】
連結ピン１３０が、図７に示すように、ブシュ１３０に遊嵌するピン小径部１２２と内プレート１１０に圧入嵌合するピン大径部１２４とで構成され、ブシュ１３０の端部が、ピン大径部１２４に当接し、ブシュ１３０の他端が、盲孔１６２に当接しており、潤滑油が、ブシュ１３０とピン小径部１２２とピン大径部１２４と盲孔１６２との間に封入されている。
【００２７】
そこで、本実施例の搬送用チェーン１００が最も特徴とするブラケット部材１６０と搬送手段１７０の具体的な形態について図２乃至図７により詳しく説明する。
まず、本実施例の搬送用チェーン１００が、ブシュ１３０の他端に着脱自在に遊嵌して支持する盲孔１６２を有する左右一対のブラケット部材１６０、１６０と、左右一対のブラケット部材１６０、１６０を相互に連結して搬送物を捕捉する搬送手段１７０とを備えている。
これにより、ブラケット部材１６０と搬送手段１７０とが、相互の連結のみによって搬送用チェーン１００全体を連結している。
【００２８】
また、本実施例の搬送用チェーン１００が、一枚の内プレート１１０と、この一枚の内プレート１１０の前後一対のピン圧入孔１１２、１１２にそれぞれ圧入嵌合される前後一対の連結ピン１２０、１２０と、これらの連結ピン１２０、１２０の外周面に内プレート１１０の左右両側からそれぞれ遊嵌する左右一対のブシュ１３０，１３０と、これらのブシュ１３０、１３０の一端を前後一対のブシュ圧入孔１４２にそれぞれ圧入嵌合するとともに連結ピン１３０、１３０を介して内プレート１１０をチェーン長手方向に相互に連結する左右一対の外プレート１４０、１４０とを備えている。
これにより、連結ピン１２０と内プレート１１０との間、および、ブシュ１３０と外プレート１４０との間に間隙がないように構成されている。
【００２９】
さらに、本実施例の搬送用チェーン１００が、連結ピン１２０の外周面に一枚の内プレート１１０の左右両側からそれぞれ遊嵌する左右一対のブシュ１３０、１３０と、これらの左右一対のブシュ１３０、１３０の一端を前後一対のブシュ圧入孔１４２にそれぞれ圧入嵌合するとともに、連結ピン１２０を介して内プレート１１０をチェーン長手方向に相互に連結する左右一対の外プレート１４０、１４０と、ブシュ１３０の外周面に遊嵌するローラ１５０とを備えている。
これにより、２個のスプロケット（図示略）が左右一対のローラ１５０、１５０にそれぞれ当接して搬送用チェーン１００を駆動させている。
【００３０】
左右一対の外プレート１４０、１４０が、内プレート１１０に近接して対向配置され、左右一対のブラケット部材１６０、１６０と搬送手段１７０とが、ボルト１８１とナット１８２とからなる締結手段によって着脱自在に連結され、搬送手段１７０が、搬送物Ｗを捕捉して搬送するバケットで構成されている。
これにより、ローラ１５０が外プレート１４０とブラケット部材１６０との間に配置され、ブラケット部材１６０と搬送手段１７０とを連結するために必要な力をボルト１８１とナット１８２との締め付け力により得られ、搬送用チェーン１００は、搬送手段１７０のバケットで搬送物Ｗを掻き取る。
【００３１】
このようにして得られた本実施例の搬送用チェーン１００は、前後一対のピン圧入孔１１２、１１２を有する一枚の内プレート１１０と、この一枚の内プレート１１０の前後一対のピン圧入孔１１２、１１２にそれぞれ圧入嵌合される前後一対の連結ピン１２０、１２０と、これらの連結ピン１２０、１２０の外周面に内プレート１１０の左右両側からそれぞれ遊嵌する左右一対のブシュ１３０，１３０と、これらのブシュ１３０、１３０の一端を前後一対のブシュ圧入孔１４２にそれぞれ圧入嵌合するとともに連結ピン１２０、１２０を介して内プレート１１０をチェーン長手方向に相互に連結する左右一対の外プレート１４０、１４０と、ブシュ１３０の外周面に遊嵌するローラ１５０と、外プレート１４０の前後一対のブシュ圧入孔１４２、１４２からチェーン幅方向の外方に突出する前後一対のブシュ１３０、１３０の他端にそれぞれ着脱自在に遊嵌して支持する前後一対の盲孔１６２、１６２を有する左右一対のブラケット部材１６０、１６０と、これらの左右一対のブラケット部材１６０、１６０を相互に連結して搬送物Wを捕捉搬送する搬送手段１７０とで構成され、左右一対のブラケット部材１６０、１６０と搬送手段１７０とが、相互の連結のみによってチェーン全体を連結している。
したがって、容易に搬送用チェーン１００を組立、分解することができ、スプロケットとの噛み合いによる衝撃荷重に起因してローラ１５０に損傷が生じた場合であっても、ローラ１５０を容易に交換することができ、搬送用チェーン１００の疲労強度を向上させるとともに、圧入部分における摩耗損傷の発生を防止することができ、搬送用チェーン１００の捩れを防止するとともに、安定して搬送物Ｗを捕捉して搬送することができる。
【００３２】
また、左右一対の外プレート１４０、１４０が、内プレート１１０に近接して対向配置され、左右一対のブラケット部材１６０、１６０と搬送手段１７０とが、ボルト１８１とナット１８２とで着脱自在に連結されているとともに、搬送手段１７０が、搬送物Ｗを捕捉するバケットで構成されている。
したがって、搬送手段１７０とブラケット部材１６０との連結を解除して、ブラケット部材１６０を取り外すことで摩耗損傷したローラ１５０の交換を容易に達成することができ、簡単かつ確実に搬送用チェーン１００を組立、分解することができるとともに、肥料、試料、穀物等のばらものであっても効率的に捕捉搬送することができるなど、その効果は甚大である。
【符号の説明】
【００３３】
１００          ・・・  搬送用チェーン
１１０          ・・・  内プレート
１１２          ・・・  ピン圧入孔
１２０          ・・・  連結ピン
１２２          ・・・  ピン小径部
１２４          ・・・  ピン大径部
１３０          ・・・  ブシュ
１４０          ・・・  外プレート
１４２          ・・・  ブシュ圧入孔
１５０          ・・・  ローラ
１６０          ・・・  ブラケット部材
１６２          ・・・  盲孔
１６４          ・・・  ボルト挿入孔
１７０、５７０  ・・・  搬送手段
１８１          ・・・  ボルト
１８２          ・・・  ナット
５００          ・・・  バケットエレベータ
Ｓ              ・・・  スプロケット
Ｗ              ・・・  搬送物
【図１】
0005133374.tif 000002
【図２】
0005133374.tif 000003
【図３】
0005133374.tif 000004
【図４】
0005133374.tif 000005
【図５】
0005133374.tif 000006
【図６】
0005133374.tif 000007
【図７】
0005133374.tif 000008